(57)【要約】      （修正有）【課題】家庭で衣類を洗濯した水を水桶に貯めてからトイレの洗い流しに利用する家庭用排水再利用システムを提供する。【解決手段】支持板１０が外嵌されている液圧シリンダー１と、液圧シリンダーのピストンロッドに接続され、両端にそれぞれ貫通孔が設けられている第１接続板２と、一端が支持板に垂直に設けられ、第１接続板の貫通孔のそれぞれに挿通するガイドバー３と、ガイドバーの他端に固定して接続されている第２接続板４と、それぞれ第１接続板と第２接続板にヒンジ接続されている２対のパンタアームと、底部が２対のパンタアームの第１支持アームの他端および第２支持アームの他端にヒンジ接続されている支持台６と、底部に入水口と出水口が離間して設けられている貯水部と、一端が水管を介して貯水箱７０の出水口に接続され、他端が水管を介して便器タンクに接続されているポンプ８と、を有する。【選択図】図１
2019027201.tif 000002
【特許請求の範囲】
【請求項１】
シリンダー本体に支持板がピストンロッドの方向と垂直に外嵌されている液圧シリンダーと、
前記液圧シリンダーのピストンロッドの自由端に垂直に設けられ、貫通孔が設けられている第１接続板と、
一端が前記支持板に垂直に設けられ、前記第１接続板が直線往復運動可能となるように前記第１接続板の貫通孔に挿通して前記第１接続板が設けられているガイドバーと、
ガイドバーの他端に固定して接続されており、前記ガイドバーと垂直な第２接続板と、
一端が第１接続板にヒンジ接続されている第１支持アームと、一端が第２接続板にヒンジ接続されている第２支持アームと、連結軸とをそれぞれ有し、前記第１支持アームと前記第２支持アームが交差して設けられ、前記連結軸が前記第１支持アームの中部と前記第２支持アームの中部に順次に挿通して前記第１支持アームと前記第２支持アームを連結することにより、前記第１支持アームと前記第２支持アームが連結軸周りに回動可能としている２対のパンタアームと、
底部が前記２対のパンタアームの前記第１支持アームの他端および前記第２支持アームの他端にヒンジ接続されている支持台と、
床面に設けられ、側壁の底部に入水口と出水口が離間して設けられている剛性の貯水箱と、前記貯水箱との間に密閉した貯水スペースを形成するように前記貯水箱の上部に設けられている柔軟性の貯水袋と、を有する貯水部と、
一端が水管を介して前記貯水箱の出水口に接続され、他端が水管を介して便器タンクに接続されているポンプと、を有することを特徴とする家庭用排水再利用システム。
【請求項２】
前記貯水箱の１つの側面が壁に当接し、前記貯水箱の他の３つの側面の両側に高さ方向に沿ってＬ字状凸条がそれぞれ設けられており、
同一側面における２つのＬ字状凸条が対向して設けられて、２つの溝を形成しており、
前記２つの溝にはブロック板が設けられ、前記ブロック板の両側辺にはそれぞれ滑車が設けられており、
前記ブロック板が溝内で上下に直線運動可能となるように、前記ブロック板の両側の前記滑車がそれぞれ２つの溝に摺接していることを特徴とする請求項１に記載の家庭用排水再利用システム。
【請求項３】
各々の前記Ｌ字状凸条の上部には、位置規制ボルトを有する位置規制手段がそれぞれ設けられており、
前記Ｌ字状凸条の１つの側面の上部には貫通孔が設けられ、前記貫通孔の内周面には前記位置規制ボルトと螺合する雌ねじを有し、前記雌ねじにより前記位置規制ボルトと前記貫通孔を連結することを特徴とする請求項２に記載の家庭用排水再利用システム。
【請求項４】
前記貫通孔が設けられている前記Ｌ字状凸条の側面は、当該Ｌ字状凸条が設けられている前記貯水箱の側面と平行であることを特徴とする請求項３に記載の家庭用排水再利用システム。
【請求項５】
前記貯水袋は直方体状であり、かつ、前記貯水袋の長さおよび幅はそれぞれ前記貯水箱の長さおよび幅と同じであることを特徴とする請求項２に記載の家庭用排水再利用システム。
【請求項６】
前記ガイドバーは、前記２対のパンタアームの前記第１支持アームおよび前記第２支持アームの長さよりも長いことを特徴とする請求項１に記載の家庭用排水再利用システム。
【請求項７】
前記貯水箱の入水口には逆止弁が設けられていることを特徴とする請求項１に記載の家庭用排水再利用システム。
【請求項８】
前記ガイドバーの両端の高さは同じであり、かつ、前記２対のパンタアームの前記第１支持アームと前記第２支持アームは長さが同じであることを特徴とする請求項１に記載の家庭用排水再利用システム。
【発明の詳細な説明】
【技術分野】
【０００１】
本発明は、排水再利用の技術分野に関し、より具体的には家庭用排水再利用システムに関する。
【背景技術】
【０００２】
衣類を洗濯した水は塩基性を示す一方、不純物を含まないため、トイレの洗い流しに用いられる場合、便や尿を洗い流すだけではなく、塩基性の水が便鉢の洗浄にも非常に有利である。現在、多くの家庭では、節水のために、衣類を洗濯した水を貯水してトイレの洗い流しに用いている。ところが、このようにした場合、水を節約したものの、多くの課題を抱えている。洗濯機が床に設置されているため、排水管の位置が低くなり、洗濯水を受けるのは容易なことでない。このため、排水管を長くするとともに大きい盥で水を受ける必要があり、さらに盥からの溢水を防ぐために、常に監視する必要がある。また、通常、受けた水を水桶でトイレまで運ぶ必要があり、手間がかかる。また、衣類を洗濯するタイミングとトイレを利用するタイミングが一致するわけではないため、通常、受けた水をいくつかの水桶で貯めてトイレに置く必要があり、大きなスペースを占めるだけではなく、見た目も悪い。また、水桶に瓢状容器を用意しておき、トイレを洗い流す際には、瓢状容器で水をくむ必要があるため、不便である。そのため、手間がかからず便利な家庭用排水再利用システムを提供することが期待されている。
【発明の概要】
【発明が解決しようとする課題】
【０００３】
本発明は、上記した問題点に鑑み、現状のような、家庭で衣類を洗濯した水を水桶に貯めてからトイレの洗い流しに利用するという非常に不便な問題を解決するための家庭用排水再利用システムを提供することを目的とする。
【課題を解決するための手段】
【０００４】
本発明では、上記した目的を達成するために、以下の形態により実現される。
【０００５】
本発明の家庭用排水再利用システムは、
シリンダー本体に支持板がピストンロッドの方向と垂直に外嵌されている液圧シリンダーと、
液圧シリンダーのピストンロッドの自由端に垂直に設けられ、貫通孔が設けられている第１接続板と、
一端が前記支持板に垂直に設けられ、前記第１接続板が直線往復運動可能となるように前記第１接続板の貫通孔のそれぞれに挿通して前記第１接続板が設けられているガイドバーと、
ガイドバーの他端に固定して接続されており、前記ガイドバーと垂直な第２接続板と、
一端が第１接続板にヒンジ接続されている第１支持アームと、一端が第２接続板にヒンジ接続されている第２支持アームと、連結軸とをそれぞれ有し、前記第１支持アームと前記第２支持アームが交差して設けられ、前記連結軸が第１支持アームの中部と第２支持アームの中部に順次に挿通して前記第１支持アームと前記第２支持アームを連結することにより、前記第１支持アームと前記第２支持アームが連結軸周りに回動可能としている２対のパンタアームと、
底部が２対のパンタアームの第１支持アームの他端および第２支持アームの他端にヒンジ接続されている支持台と、
床面に設けられ、側壁の底部に入水口と出水口が離間して設けられている剛性の貯水箱と、貯水箱との間に密閉した貯水スペースを形成するように貯水箱の上部に設けられている柔軟性の貯水袋と、を有する貯水部と、
一端が水管を介して貯水箱の出水口に接続され、他端が水管を介して便器タンクに接続されているポンプと、を有する。
【０００６】
貯水箱の１つの側面が壁に当接し、貯水箱の他の３つの側面の両側に高さ方向に沿ってＬ字状凸条がそれぞれ設けられており、同一側面における２つのＬ字状凸条が対向して設けられて、２つの溝を形成しており、前記２つの溝にはブロック板が設けられ、ブロック板の両側辺にはそれぞれ滑車が設けられており、ブロック板が溝内で上下に直線運動可能となるように、ブロック板の両側の滑車がそれぞれ２つの溝に摺接していることが好ましい。
【０００７】
各Ｌ字状凸条の上部には、位置規制ボルトを有する位置規制手段がそれぞれ設けられており、Ｌ字状凸条の１つの側面の上部には貫通孔が設けられ、貫通孔の内周面には位置規制ボルトと螺合する雌ねじを有し、前記雌ねじにより前記位置規制ボルトと貫通孔を連結することが好ましい。
【０００８】
貫通孔が設けられているＬ字状凸条の側面は、当該Ｌ字状凸条が設けられている貯水箱の側面と平行であることが好ましい。
【０００９】
前記貯水袋は直方体状であり、かつ、貯水袋の長さおよび幅はそれぞれ貯水箱の長さおよび幅と同じであることが好ましい。
【００１０】
ガイドバーは２対のパンタアームの第１支持アームおよび第２支持アームの長さよりも長いことが好ましい。
【００１１】
貯水箱の入水口には逆止弁が設けられていることが好ましい。
【００１２】
前記ガイドバーの両端の高さは同じであり、かつ、２対のパンタアームの第１支持アームと第２支持アームは長さが同じであることが好ましい。
【発明の効果】
【００１３】
本発明は少なくとも以下の有益な効果を奏することができる。
【００１４】
（１）本発明を利用する際には、洗濯機を支持台上に配置し、そして、洗濯機が衣類を洗濯する時に、液圧シリンダーを動作させると、液圧シリンダー内でのピストン運動は、ピストンロッドを介して第１接続板を、ガイドバーに沿って第２接続板に近づくように押す。第１接続板の運動により、２本の第１支持アームを上方へ回動させる。連結軸が存在するため、第１支持アームは２本の第２支持アームを上方へ回動させ、支持台上の洗濯機を上昇させる。洗濯機が所定の高さに上昇すると、液圧シリンダーの動作を停止させる。洗濯機が衣類を洗濯している間に汚水は排出される。洗濯機の出水管はパイプを介して貯水箱の底部の入水口に接続されている。洗濯機が上昇されるため、洗濯機の出水管は、床面に位置している貯水箱の底部の入水口よりも高くなる。よって、洗濯機から排出された汚水は、貯水箱内に自然に流れ、貯水される。貯水袋は柔軟性のものであるため、水量が多い場合には、貯水袋の体積が膨張することでより多くの排水を貯水することができ、水量が少ない場合には、貯水袋を貯水箱内に収納することで収納スペースを減少することができる。本発明によれば、衣類を洗濯した排水を手間をかけずにトイレの洗い流しに再利用することができ、水資源を節約するとともにトイレを清潔に洗い流すことができる。
【００１５】
（２）貯水箱の上端部にブロック板を設けることにより、柔軟性の貯水袋の変形を所定の範囲内に制限することができ、貯水袋が水の重力により下方へ変形し貯水箱から落下することを防止することができる。
【００１６】
（３）Ｌ字状凸条の上部に位置規制手段を設けることにより、ブロック板が貯水袋からの押圧により溝の底部へ落下することを防止することができる。
【００１７】
（４）貯水箱の入水口が低いため、貯水箱の入水口に逆止弁を設けることにより、貯水箱内の水位が洗濯機の出水口と同じ位置または洗濯機の出水口よりも高い位置まで上昇した場合でも、貯水部内の水が洗濯機へ流れることを防止することができる。
【図面の簡単な説明】
【００１８】
【図１】本発明に係る構成を示す図である。
【図２】本発明に係る貯水箱の平面図である。
【発明を実施するための形態】
【００１９】
以下、本発明の具体的な実施形態について図面を参照しながら詳細に説明する。
【００２０】
図１に示すように、家庭用排水再利用システムは、
シリンダー本体に支持板１０がピストンロッドの方向と垂直に外嵌されている液圧シリンダー１と、
液圧シリンダー１のピストンロッドの自由端に垂直に設けられ、両端にそれぞれ貫通孔が設けられている第１接続板２と、
それぞれの一端が支持板に垂直に設けられ、第１接続板２が２本のガイドバー３に沿って直線往復運動可能となるように、第１接続板２の両端の対応する貫通孔のそれぞれに挿通して第１接続板２が設けられている２本のガイドバー３と、
２本のガイドバー３の他端に固定して接続されており、２本のガイドバー３と垂直な第２接続板４と、
一端が第１接続板２にヒンジ接続されている第１支持アーム５０と、一端が第２接続板４にヒンジ接続されている第２支持アーム５１と、連結軸５２とをそれぞれ有し、第１支持アーム５０と第２支持アーム５１が交差して設けられ、連結軸５２が第１支持アーム５０の中部と第２支持アーム５１の中部に順次に挿通して第１支持アーム５０と第２支持アーム５１を連結することにより、第１支持アーム５０と第２支持アーム５１が連結軸５２周りに回動可能としている２対のパンタアームと、
底部が２対のパンタアームの第１支持アーム５０の他端および第２支持アーム５１の他端にヒンジ接続されている支持台６と、
床面に設けられ、側壁の底部に入水口と出水口が離間して設けられている剛性の貯水箱７０と、貯水箱７０との間に密閉した貯水スペースを形成するように貯水箱７０の上部に設けられている柔軟性の貯水袋７１と、を有する貯水部と、
一端が水管を介して貯水箱７０の出水口に接続され、他端が水管を介して便器タンク９に接続されているポンプ８と、を有する。
【００２１】
上記した形態において、支持板１０には液圧シリンダー１のシリンダー本体の形状寸法に応じた孔を有しており、液圧シリンダー１は支持板１０の孔に挿通して支持板１０に固定されている。第１接続板２は液圧シリンダー１のピストンロッドの自由端に垂直に設けられており、これにより、液圧シリンダー１におけるピストン運動は、ピストンロッドを介して第１接続板２を、ピストンロッドの方向に沿って往復直線運動させる。各ガイドバー３の両端は、それぞれ支持板１０と第２接続板４に固定されている。２本のガイドバー３は、それぞれ第１接続板２の両端の対応する貫通孔に挿通することにより、第１接続板２は支持板１０と第２接続板４との間に制限される。これにより、第１接続板２は、支持板１０と第２接続板４との間のガイドバーで直線運動することができる。第２接続板４の両端には、それぞれ第２接続板４と垂直なＵ字状支持耳部４０が設けられており、各Ｕ字状支持耳部４０の両側板の間には、回転可能な回転軸４００が設けられている。２対のパンタアームの第２支持アーム５１の一端にそれぞれ貫通孔を有し、２本の回転軸４００はそれぞれ第２支持アーム５１の貫通孔に挿通することにより、２本の第２支持アーム５１をそれぞれ２つのＵ字状支持耳部４０に設ける。２本の第２支持アーム５１に付勢することにより、第２支持アーム５１を、接続されている回転軸４００周りに回動させることができる。第１接続板２と２対のパンタアームの第１支持アーム５０とのヒンジ接続構造、及び、支持台６の底部と２対のパンタアームの第１支持アーム５０の他端および第２支持アーム５１の他端とのヒンジ接続構造は、上記した構造と同様である。より明確かつ簡単にヒンジ接続構造を説明するために、図１には、第２接続板４のＵ字状支持耳部４０の立体構造のみが示されている。
【００２２】
当該家庭用排水再利用システムを利用する際には、洗濯機を支持台６上に配置し、そして、洗濯機が衣類を洗濯する時に、液圧シリンダー１を動作させると、液圧シリンダー１内でのピストン運動は、ピストンロッドを介して第１接続板２を、ガイドバー３に沿って第２接続板４に近づくように押す。第１接続板２の運動により、２本の第１支持アーム５０を上方へ回動させる。連結軸５２が存在するため、第１支持アーム５０は２本の第２支持アーム５１を上方へ回動させ、支持台６上の洗濯機を上昇させる。洗濯機が所定の高さに上昇すると、液圧シリンダー１の動作を停止させる。洗濯機が衣類を洗濯している間に汚水は排出される。洗濯機の出水管はパイプを介して貯水箱７０の底部の入水口に接続されている。洗濯機が上昇されるため、洗濯機の出水管は、床面に位置している貯水箱７０の底部の入水口よりも高くなる。よって、洗濯機から排出された汚水は、貯水箱７０内に自然に流れ、貯水される。貯水袋７１は柔軟性のものであるため、水量が多い場合には、貯水袋７１の体積が膨張することでより多くの排水を貯水することができ、水量が少ない場合には、貯水袋７１を貯水箱内に収納することで収納スペースを減少することができる。
【００２３】
貯水箱７０の出水口は低いが、通常の便器タンク９は所定の高さを持つので、貯水部内の水を便器タンク９に吸い上げてトイレの洗い流しに利用するために、貯水箱７０の出水口と便器タンク９との間にポンプ８を取り付ける必要がある。衣類の洗濯により排出された汚水は洗濯剤を含み、塩基性を示すため、トイレの洗い流しに用いられると、トイレをより清潔に洗い流すことができる。
【００２４】
その他の形態において、図２に示すように、貯水箱７０の１つの側面が壁に当接し、貯水箱７０の他の３つの側面の両側に高さ方向に沿ってＬ字状凸条７００がそれぞれ設けられており、同一側面における２つのＬ字状凸条７００が対向して設けられて２つの溝を形成しており、２つの溝にはブロック板７０１が設けられ、ブロック板７０１の両側辺にはそれぞれ滑車７０２が設けられており、ブロック板７０１が溝内で上下に直線運動可能となるように、ブロック板７０１の両側の滑車がそれぞれ２つの溝に摺接している。これにより、貯水箱７０内の水量が少ない場合には、貯水箱７０の３つの側面のブロック板７０１をそれぞれ対応する溝の底部までスライドすることで、貯水部が占有するスペースを減少することができる。一方、水量が多い場合、特に排水が貯水袋７１へ充填し始める場合には、貯水箱７０の３つの側面のブロック板７０１をそれぞれ対応する溝の上端部にスライドする。貯水袋７１は、柔軟性のものであるため、変形しやすい。貯水箱７０の上端部にブロック板７０１を設けることにより、柔軟性の貯水袋７１の変形を所定の範囲内に制限することができ、貯水袋７１が水の重力により下方へ変形し貯水箱７０から落下することを防止することができる。
【００２５】
その他の形態において、図２に示すように、各Ｌ字状凸条７００の上部には、位置規制ボルト７０３を有する位置規制手段がそれぞれ設けられており、Ｌ字状凸条７００の１つの側面の上部には貫通孔が設けられ、貫通孔の内周面には位置規制ボルト７０３と螺合する雌ねじを有しており、これにより、雌ねじにより位置規制ボルト７０３と貫通孔を連結するようにしている。ブロック板７０１の滑車７０２が溝の上端部までスライドした場合、位置規制ボルト７０３を溝にねじ込むことにより、位置規制ボルト７０３で滑車７０２の下方へのスライドを阻止することで、ブロック板７０１を所定の位置に固定することができる。一方、貯水部内の水位が貯水箱７０まで低下した場合、位置規制ボルト７０３を緩めることにより、滑車７０２でブロック板７０１をＬ字状凸条７００の底部までスライドさせる。Ｌ字状凸条７００の上部に位置規制手段を設けることにより、ブロック板７０１が貯水袋７１からの押圧により溝の底部へ落下することを防止することができる。
【００２６】
その他の形態において、貫通孔が設けられているＬ字状凸条７００の側面は、当該Ｌ字状凸条７００が設けられている貯水箱７０の側面と平行である。これにより、位置規制ボルト７０３を溝にねじ込む時に、位置規制ボルト７０３を、当該Ｌ字状凸条７００が設けられている貯水箱７０の側面と当接するまでねじ込むことにより、ブロック板７０１の位置制御をより良くすることができる。
【００２７】
その他の形態において、貯水袋７１は直方体状であり、かつ、貯水袋７１の長さおよび幅はそれぞれ貯水箱７０の長さおよび幅と同じである。これにより、ブロック板７０１の位置制御を容易にすることができ、貯水袋７１が変形して重力により貯水箱７０から落下することを防止することができる。
【００２８】
その他の形態において、ガイドバー３は２対のパンタアームの第１支持アーム５０および第２支持アーム５１の長さよりも長く構成されている。これにより、洗濯機は、非使用の状態において、床面から近いところに位置するため、事故の発生を防止することができる。
【００２９】
その他の形態において、貯水箱７０の入水口には逆止弁７０４が設けられている。貯水箱７０の入水口が低いため、貯水箱７０の入水口に逆止弁７０４を設けることにより、貯水箱７０内の水位が洗濯機の出水口と同じ位置または洗濯機の出水口よりも高い位置まで上昇した場合でも、貯水部内の水が洗濯機へ流れることを防止することができる。
【００３０】
その他の形態において、２本のガイドバー３の両端の高さは同じであり、かつ、２対のパンタアームの第１支持アーム５０と第２支持アーム５１は長さが同じである。これにより、支持台６が水平状態になっており、その上に配置された洗濯機も水平状態になっているため、洗濯機の非水平配置を防止することができ、脱水時の激しい振動の発生を防止することができる。
【００３１】
以上、本発明に係る家庭用排水再利用システムについて図面を参照しながら例示的に説明したが、当業者は、上記した本発明に係る家庭用排水再利用システムに対して、本発明の要旨を逸脱しない範囲で、種々の変形を行うことができる。よって、本発明の範囲は特許請求の範囲に記載した内容により確定される。
【符号の説明】
【００３２】
１  液圧シリンダー
１０  支持板
２  第１接続板
３  ガイドバー
４  第２接続板
４０  Ｕ字状支持耳部
４００  回転軸
５０  第１支持アーム
５１  第２支持アーム
５２  連結軸
６  支持台
７０  貯水箱
７１  貯水袋
８  ポンプ
９  便器タンク
７００  Ｌ字状凸条
７０１  ブロック板
７０２  滑車
７０３  位置規制ボルト
７０４  逆止弁
【図１】
2019027201.tif 000003
【図２】
2019027201.tif 000004
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
シリンダー本体に支持板がピストンロッドの方向と垂直に外嵌されている液圧シリンダーと、
前記液圧シリンダーのピストンロッドの自由端に垂直に設けられ、貫通孔が設けられている第１接続板と、
一端が前記支持板に垂直に設けられ、前記第１接続板が直線往復運動可能となるように前記第１接続板の貫通孔に挿通して前記第１接続板が設けられているガイドバーと、
ガイドバーの他端に固定して接続されており、前記ガイドバーと垂直な第２接続板と、
一端が第１接続板にヒンジ接続されている第１支持アームと、一端が第２接続板にヒンジ接続されている第２支持アームと、連結軸とをそれぞれ有し、前記第１支持アームと前記第２支持アームが交差して設けられ、前記連結軸が前記第１支持アームの中部と前記第２支持アームの中部に順次に挿通して前記第１支持アームと前記第２支持アームを連結することにより、前記第１支持アームと前記第２支持アームが連結軸周りに回動可能としている２対のパンタアームと、
底部が前記２対のパンタアームの前記第１支持アームの他端および前記第２支持アームの他端にヒンジ接続されている支持台と、
床面に設けられ、側壁の底部に入水口と出水口が離間して設けられている剛性の貯水箱と、前記貯水箱との間に密閉した貯水スペースを形成するように前記貯水箱の上部に設けられている柔軟性の貯水袋と、を有する貯水部と、
一端が水管を介して前記貯水箱の出水口に接続され、他端が水管を介して便器タンクに接続されているポンプと、を有することを特徴とする家庭用排水再利用システム。
【請求項２】
前記ガイドバーは、前記２対のパンタアームの前記第１支持アームおよび前記第２支持アームの長さよりも長いことを特徴とする請求項１に記載の家庭用排水再利用システム。
【請求項３】
前記貯水箱の入水口には逆止弁が設けられていることを特徴とする請求項１に記載の家庭用排水再利用システム。
【請求項４】
前記ガイドバーの両端の高さは同じであり、かつ、前記２対のパンタアームの前記第１支持アームと前記第２支持アームは長さが同じであることを特徴とする請求項１に記載の家庭用排水再利用システム。